(57)【要約】  製品を保持するための容器を有する製品ディスペンサ（２４）用の付属品が提供される。容器（２６）は、中央軸線（３６）を画定すると共に通常分配姿勢を有し、分配機構は、容器（２６）に連結されると共に、容器が通常分配姿勢にある時に、製品を望ましい標的区域の方に向けるように適合された排出開口部（４４）を有する。付属品は、容器（２６）及び分配機構の少なくとも１つに連結された第１安定化要素であり、容器（２６）を通常分配姿勢に維持し、それにより使用中により確実に製品を標的区域に向けるように適合される。第１安定化要素は、子供にとって魅力的な少なくとも１つの物理的特徴を組み込む。
2008509056.tif 000002
【特許請求の範囲】
【請求項１】
製品を保持するための容器を有する製品ディスペンサ用の付属品であって、前記容器が、中央軸線を画定すると共に、外周を画定する底壁と、前記容器に連結されると共に分配ヘッド及び排出開口部を有する分配機構とを有し、前記分配ヘッドが作動軸線に沿って操作可能であり、前記容器底壁が前記作動軸線とそこから前記容器底壁の周辺部上の最遠点との間の距離に等しい最大容器寸法を画定する容器であって、
前記分配ヘッドに取り外し可能に連結されると共に、子供にとって魅力的な少なくとも１つの物理的特徴を組み込む把持部であって、前記把持部が前記分配ヘッドの表面積よりも大きい表面積を有する握持面を有し、前記把持部は前記把持部に加えられた有効量の作動力を前記分配ヘッドに伝達するための十分な剛性を有するように前記分配ヘッドに連結され、前記把持部が前記作動軸線と前記握持面の周辺部上の最遠点との間の距離に等しい最大把持部寸法を画定し、前記最大把持部寸法の前記最大容器寸法に対する比が１．４未満である把持部を含む、製品ディスペンサ用の付属品。
【請求項２】
前記作動軸線に対して平行に方向付けられた作動分力と、前記作動軸線に対して直角に方向付けられた傾斜分力とを有する分配力により、前記分配機構が前記作動軸線に沿って操作可能であり、前記把持部が、前記分配力の前記傾斜分力を低減させる、請求項１に記載の製品ディスペンサ付属品。
【請求項３】
前記把持部が、分離可能に互いに取り付けられた第１及び第２部分を含む、請求項１又は２に記載の製品ディスペンサ付属品。
【請求項４】
子供にとって魅力的な前記少なくとも１つの物理的特徴が、前記把持部を擬人化キャラクターとして形成することを含む、請求項１〜３のいずれか一項に記載の製品ディスペンサ付属品。
【請求項５】
前記握持面が、なだらかな輪郭で形成された、前記作動軸線に近接した中央領域を包含する、請求項１〜４のいずれか一項に記載の製品ディスペンサ付属品。
【請求項６】
前記把持部が音響発生器を含む、請求項１〜５のいずれか一項に記載の製品ディスペンサ付属品。
【請求項７】
製品ディスペンサ組立体であって、
製品を保持するための容器であって、前記容器が中央軸線及び通常分配姿勢を画定し、前記容器が外周を画定する底壁と前記容器に連結された分配機構とを有すると共に、作動軸線に沿って操作可能な排出ヘッドと排出開口部とを有し、前記容器底壁が最大値を画定する容器；
作動軸線に沿って操作可能な排出ヘッドと、前記容器が前記通常分配姿勢にある時に製品を望ましい標的区域の方に向けるように適合された排出開口部とを有する、前記容器に連結された分配機構であって、前記容器底壁が前記作動軸線とそこから前記容器底壁の周辺部上の最遠点との間の距離に等しい最大容器寸法を画定する分配機構；及び
前記分配ヘッドに取り外し可能に連結されると共に、子供にとって魅力的な少なくとも１つの物理的特徴を組み込む把持部であって、前記把持部が前記分配ヘッドの表面積よりも大きい表面積を有する握持面を有し、前記把持部は前記把持部に加えられたほぼ全ての作動力を前記分配ヘッドに伝達するための十分な剛性を有し、前記把持部が前記作動軸線と前記握持面の周辺部上の最遠点との間の距離に等しい最大把持部寸法を画定し、前記最大把持部寸法の前記最大容器寸法に対する比が１．４未満である把持部を含むことを特徴とする、製品ディスペンサ組立体。
【請求項８】
前記握持面周辺部の少なくとも凡そ５０％が、前記容器外側周辺部の対応する部位に比べ、前記中央軸線からさらに離れて位置し、好ましくは前記握持面周辺部の１００％が、前記容器底壁周辺部の対応する部位に比べ、前記中央軸線からさらに離れて位置する、請求項７に記載の製品ディスペンサ組立体。
【請求項９】
前記作動軸線に対して平行に方向付けられた作動分力と、前記作動軸線に対して直角に方向付けられた傾斜分力とを有する分配力により、前記分配機構が前記作動軸線に沿って操作可能であり、前記把持部が前記分配力の前記傾斜分力を低減させる、請求項７〜８のいずれか一項に記載の製品ディスペンサ組立体。
【請求項１０】
前記把持部が、前記分配ヘッドに連結するように適合された単一構造を含む、請求項７〜９のいずれか一項に記載の製品ディスペンサ組立体。
【請求項１１】
子供にとって魅力的な前記少なくとも１つの物理的特徴が、前記把持部を第１擬人化キャラクターとして形成することを含む、請求項７〜１０のいずれか一項に記載の製品ディスペンサ組立体。
【請求項１２】
摩擦によって前記容器の底部と係合するように適合された基部をさらに含み、前記基部が、その上に前記基部が置かれている支持面を捉えるように適合された底壁を包含する、請求項７〜１１のいずれか一項に記載の製品ディスペンサ組立体。
【請求項１３】
前記第１擬人化キャラクターに関する第２擬人化特徴を有する前記基部を形成することにより、前記基部が、子供にとって魅力的な第２物理的特徴を提供する、請求項７〜１２のいずれか一項に記載の製品ディスペンサ組立体。
【請求項１４】
前記握持面が、なだらかな輪郭で形成された、前記作動軸線に近接した中央領域を包含する、請求項７〜１３のいずれか一項に記載の製品ディスペンサ組立体。
【請求項１５】
前記最大把持部寸法の前記最大容器寸法に対する前記比が、凡そ１．１未満である、請求項７〜１４のいずれか一項に記載の製品ディスペンサ組立体。
【請求項１６】
前記把持部が音響発生器を含む、請求項７〜１５のいずれか一項に記載の製品ディスペンサ組立体。
【発明の詳細な説明】
【技術分野】
【０００１】
本開示は、一般に製品を分配するための容器に関し、より詳細には、子供用に特に適した製品ディスペンサに関する。
【背景技術】
【０００２】
各種の製品ディスペンサは一般に当該技術分野において既知である。かかるディスペンサは、液体、固体、又はそれらの組み合わせを保持してもよい。製品は、次第に、特に子供用に市販されるようになっている。例えば、液状石鹸、シャンプー、ベビーパウダー、口腔衛生用製品、及び同種のものは、子供の注意を引くことを意図する包装及び広告を使用して市販される。多くの場合、製品ディスペンサが設けられている容器及び／又は包装は、装飾的な外観を有するように変更される。従来の容器には三次元の構成要素が設けられ、動物又は漫画キャラクターなどの物に似た形状を容器に提供しており、このことは、装飾的なディスペンサ外観がない場合における別の方法では存在し得ない、製品を使用した衛生作業を行うための熱意を生むことがある。
【発明の開示】
【発明が解決しようとする課題】
【０００３】
これらの製品は、子供に訴えかけるよう設計されてきたものの、一般には、子供用には適合されていない。子供の運動技能は大人ほど発達しておらず、したがって、大人にとって普通又は日常的と思われる操作が、子供にとってはより困難になる可能性がある。ポンプ型液状石鹸ディスペンサを操作するとき、例えば、子供は、適切な方向に十分な力を加えてポンプを操作するのが困難と感じることがあり、これによりディスペンサが移動、傾斜したり、さもなければ製品を意図された標的の方に排出し損なうことがある。現在のところ先行の製品ディスペンサは、子供の注目を引いて購買決定に影響を与えるのに成功していることがあるものの、製品の使用中に直面する困難は、最終的に挫折の原因となり、子供の、製品をさらに使用する意欲を失わせる。
【発明を実施するための最良の形態】
【０００４】
次に図面の図１及び２に関して、本開示の教示による製品ディスペンサ用の付属品は、それぞれ参照番号２０及び２２によって概ね参照される把持部及び基部の形態で示される。把持部２０及び基部２２は、製品ディスペンサ２４への取付け、好ましくは取り外し可能な取付けに適合される。製品ディスペンサ２４は、液体、固体、又はこれらの組み合わせを含有してもよい。例えば、製品ディスペンサ２４は、ハンドソープ、シャンプー、ベビーパウダー、練り歯磨き、又は他の製品を保持してもよい。その上、製品は、液体、固体、又はこれらの組み合わせであってもよい。図面は、製品ディスペンサ２４に取り付けられた２つの付属品を例示しているものの、本開示の要旨を逸脱しない範囲で、単一の付属品又は３つ以上の付属品を設けてもよいことが理解されるであろう。
【０００５】
製品ディスペンサ２４は、製品を保持するための容器２６を包含する。図１〜３において最も良く示されるとおり、容器２６は、底壁２８と、そこから上方に延びる側壁３０とを包含する。例示された側壁３０は、先細になって頸部３２を形成する上部を有する。頸部３２から内側に肩部３４が延びる。容器２６は、中央軸線３６を画定し、中央軸線は、例示された実施形態において垂直に延び、容器が製品で満たされる程度にかかわらず、容器２６の重心と交差してもよい。しかしながら、中央軸線３６は垂直に延びる必要はなく、中央軸線３６はまた容器の重心と交差する必要もない。
【０００６】
製品ディスペンサ２４はまた、容器２６に連結されると共に製品を容器から分配するよう作動できるポンプ３８など、分配機構を包含する。ポンプ３８は、容器頸部３２と、ポンプが設けられているカラー３９との間のねじ付き係合など、いかなる既知の種類の締結具を使用して容器２６に連結されてもよい。ポンプ３８は、ハンドローション及び液状石鹸など、製品において一般に使用される従来の設計であってもよく、ポンプは、容器２６の中に下向きに延びる内部管（図示せず）と、それに沿ってシャフトが往復して圧力を生み出すことにより製品を管から引き上げる作動軸線を画定するポンプシャフト４０とを包含する。ヘッド４２（図２及び３）は、ポンプシャフト４０に取り付けられてもよく、また排出開口部４４を画定してもよく、それによって管を通って引き寄せられた製品がポンプシャフト４０及びポンプヘッド４２を連続して通り、排出開口部４４にて出る。ポンプヘッド４２はまた、それに対して分配力が加えられてポンプヘッド４２及び取付けシャフト４０を作動させ、それにより製品を容器２６から排出し得る上面４６を画定してもよい。
【０００７】
ポンプ３８を操作するためには、十分な大きさで適切な方向に分配力を加え、ヘッド４２及びシャフト４０を作動させる。例示された実施形態では、分配力を加えるべき方向は、ポンプシャフト４０によって画定され、ポンプシャフト４０は、シャフトによって画定される作動軸線に沿って往復する。図２に示されるように、ポンプシャフト４０は、容器中央軸線３６と軸方向に一直線になっており、したがって、分配力の方向も例示された実施形態における中央軸線３６と一致する。しかしながら、ポンプシャフト４０が容器中央軸線３６と一直線になる必要はなく、また分配力の方向が容器中央軸線３６と一致する必要はない。その上、特定のポンプ３８が本明細書に例示及び記載されているものの、本開示の要旨を逸脱しない範囲で、他の種類のポンプ、並びに分配力の印加を必要とする他の分配機構を設けてもよい。好適なポンプは、オランダ、アルクマール（Alkmaar）の入手可能なエアスプレーＮＶ（Airspray NV）である。
【０００８】
組み立てられた容器２６及びポンプ３８は、製品ディスペンサ２４を形成し、製品ディスペンサ２４は製品を望ましい標的区域に放出させる通常分配姿勢を有する。例示された実施形態では、製品ディスペンサ２４は、直立位置で使用されることを意図しており、直立位置において容器２６は、容器底壁２８上にぴったり接して静止している。通常分配姿勢にあるとき、ポンプシャフト４０の作動により、製品が標的区域に向って分配されるであろう。標的区域は、使用中にユーザが液状石鹸ディスペンサに隣接して自分の手を置く区域など、排出開口部４４から概ね下向きの方向に容器側壁３０から離れて位置してもよい。しかしながら標的区域は、製品ディスペンサ２４に対する他の区域に位置してもよい。
【０００９】
容器を通常分配姿勢に保持するように適合された安定化要素として、少なくとも１つの付属品が製品ディスペンサ２４に取り付けられており、それによって使用中により確実に製品を標的区域の方に向ける。本明細書に記載されたようなポンプシャフト４０の操作は、概ね垂直に下向き方向に、中央軸線３６とほぼ一致して分配力が加えられることを必要とする。しかしながら、必要な分配力を正確に正しい方向に加えることは特に子供にとっては難しく、したがって、典型的にはポンプシャフト軸線に対して傾斜した向きで、ポンプヘッド４２に作動力が加えられる。結果として、ポンプシャフト４０軸線と軸方向に一直線にされた作動分力と、該ポンプシャフト軸線に直角に方向付けられた傾斜分力とを有するものとして、分配力を画定してもよい。力の作動分力はポンプシャフト４０を作動させるよう方向付けられる一方、傾斜分力はそれに対して直角に方向付けられる。子供がポンプシャフト４０を確実に操作できるためには、作動分力が凡そ５０Ｎ未満でなければならないことが見出された。容器２６が直立した通常分配姿勢を有する例示された製品ディスペンサ２４に関し、分配力の傾斜分力は、容器２６が、その上に容器２６が支持されている表面に沿って滑ったり、あるいは回転してその底壁２８が離れ、転倒する原因となることがある。上述の通り、子供の未発達の運動技能は、分配力の傾斜分力が、容器を滑動又は傾斜させるほど十分に大きくなったり、又はさもなければ排出開口部４４の方向を変えて望ましい標的区域から逸らす可能性を強める。
【００１０】
分配力の傾斜分力を相殺するために、把持部２０は、容器を通常分配姿勢に維持するのを助ける安定化要素を提供してもよい。例えば、ポンプヘッド４２を係合させることにより、把持部２０を分配機構に取り外し可能に取り付けてもよい。例えば、図５に最も良く示される通り、把持部２０は、ポンプヘッド４２を受容する大きさの内部空洞４８を画定してもよく、またポンプヘッド４２上の把持部２０の容易な引き抜けを防止する大きさの開口部５２を画定する下方頸部５０を包含してもよい。内部空洞４８は、ポンプヘッド４２全体を収容する大きさであってもよく、ポンプヘッド排出開口部４４と大気との間で流体連通する出口切断部４９を包含し、それによりポンプヘッド４２を出る製品が、把持部２０の出口切断部４９を通り抜け、開口部４４から排出されてもよい。出口切断部４９は、作動中に製品の流動を妨げぬよう、好ましくは排出開口部４４と同様の方向に配向される。あるいは、出口切断部４９は、排出開口部４４を出る製品の方向をいかなる望ましい標的区域の方に変えるよう配向されてもよい。
【００１１】
把持部上面４６は、子供の手が接してポンプ３８を作動させるように適合される。上面４６は、ポンプヘッド４２の表面４６よりも大きい表面積を有する握持面を画定する。拡大された握持面により、子供がポンプ３８を把持及び操作し易いようにする。
【００１２】
上面４６は、上面４６の外側周辺部の少なくとも一部分が、容器２６の外側周辺部の対応する部位に比べ、中央軸線３６からさらに離れて延びるような大きさであるのが有利であり得ることが見出された。図３に関して最も良く示される通り、図面紙の頂部に最も近い把持部上面４６の部分は、容器底壁２８の外側周辺部の対応する部位に比べ、中央軸線３６からさらに離れて配置されている。上面外側周辺部の少なくとも凡そ５０％が、容器底壁外側周辺部の対応する部位に比べ、中央軸線３６からさらに離れて延びた状態で有益な結果が見出された。例示された実施形態では、上面外側周辺部の１００％が、容器底壁外側周辺部の対応する部位に比べ、中央軸線３６からさらに離れて延びる。
【００１３】
把持部２０の上面４６に加えられた分配力をポンプヘッド４２に効果的に伝達するためには、作動分力を形成するよう、有効量の分配力を確実に伝達するための十分な剛性で把持部２０をそこに取り付けなければならない。この堅固な取付けへの寄与としては、十分な分配力を伝達するための十分な剛性を有する材料から把持部２０を形成することが挙げられ、それ故、それは上面４６の周辺部付近にその力が加えられるときでさえ、ポンプヘッドの作動分力となる。かかる材料の１つは、ポリプロピレンであるが、分配力を伝達するための好適な剛性を有するいかなる材料を使用してもよい。同様に、効率的な力の伝達を確実にするためには、把持部２０をポンプヘッド４２と十分に強固に結合しなければならない。
【００１４】
拡大された上面４６を有する把持部２０はさらに、ある方向に加えられる分配力の傾斜分力を低減させる。傾斜分力の結果的効果は、分配力が加えられる点及び分配力の方向に対する製品ディスペンサ重心の位置に少なくとも部分的に依存する。例示された実施形態では、ポンプヘッド４２は、ディスペンサ２４重心とほぼ垂直に一直線である。それ故に、分配力は、もし効率的に加えられるならば、ディスペンサ重心と交差する作用線に沿って方向付けられる。しかしながら、分配力が垂直軸線に対していかなる角度でも加えられるならば、作用線が回転してディスペンサ重心から離れ、その結果、製品ディスペンサ２４は傾斜する可能性が高まる。対照的に、ポンプヘッド４２に把持部２０が取り付けられ、ある位置及び方向に分配力が加えられるとき、作用線はディスペンサ重心の方に回転し、それにより傾斜の可能性を低下させる。例えば、上面４６の周辺部付近、且つ概ね下向きの方向、且つ中央軸線２６に向けて加えられる分配力は、ディスペンサの傾倒を引き起こす可能性が低い。それは、拡大された上面４６により、ディスペンサ重心を通って延びる垂直軸線から離間した接点に分配力が加えられることが可能となるからであり、したがって、それに沿って力が加えられる作用線は、ディスペンサ重心により近くなり得、又はディスペンサ重心と交差してもよい。子供のユーザは上記の位置及び方向に分配力を加える可能性があり、したがって、把持部２０は、使用中にディスペンサ２４を垂直位置に維持するのを助ける。
【００１５】
把持部２０はさらに、容器２６に対して、傾斜の可能性を低下させるための大きさであってもよい。具体的には、容器底壁２８は、その上にディスペンサ２４が載っている表面を画定し、その大きさ及び形状は、ディスペンサ２４が垂直操作位置においてどれほど安定するかを決定する。ディスペンサ２４の安定度を定量化するために、出願人らは、把持部２０及び容器２６のある寸法の相対的大きさを測定する安定比を開発した。容器２６に関し、出願人らは、作動軸線から容器底壁２８の周辺部上の最遠点までの距離である最大容器寸法「Ｘ」を確認した。把持部２０に関し、最大把持部寸法「Ｙ」は、作動軸線から把持部２０の周辺部上の最遠点までの距離を示す。
【００１６】
最大容器寸法「Ｘ」及び最大把持部寸法「Ｙ」は、代表的実施形態の図３に例示される。上述の通り、作動軸線は、容器中央軸線３６と一致する。例示された容器底壁２８は、概ね楕円形状を有しており、したがって、図３に示されるように、頁を横切ってほぼ水平に走る長軸を有するものと見なし得る。容器２６に関する最大容器寸法「Ｘ」は、したがって中央軸線３６から、長軸と底壁２８の周辺部との間の交差点までの距離である。最大把持部寸法「Ｙ」に関し、把持部２０の周辺部上の最遠点は、側点「Ｐ」にて発生し、側点は、長軸を通過すると共に容器底壁２８に対して直角に延びる平面内に一致して横たわる。最大容器及び把持部寸法「Ｘ」及び「Ｙ」は、代表的実施形態の場合のように、必ずしも容器及び把持部それぞれの対応する部分に位置していないが、その代わりに互いに対していかなる関係で位置してもよい。
【００１７】
安定比は、最大把持部寸法「Ｙ」を最大容器寸法「Ｘ」で割ることにより得られる。それ故に、より大きい安定比は、容器底壁２８に対して比較的より大きい把持部を示す一方、より小さい安定比は、容器底壁２８に対して比較的より小さい把持部を示すことが理解されるであろう。より大きい安定比は、ディスペンサの安定度がより低いことをさらに示す一方、より小さい安定比は、ディスペンサの安定度がより高いことを示す。子供が操作する間、ディスペンサ２４を垂直位置に十分に維持するためには、安定比は、１．４を超えるべきではなく、好ましくは凡そ１．１未満である。
【００１８】
把持部は、子供にとって魅力的な少なくとも１つの物理的特徴を包含してもよい。例えば、把持部２０は、物体、人物、擬人化キャラクター、又は他の物体を模擬した三次元形状を有してもよい。例示された実施形態では、把持部２０を、カエルの頭に似ている擬人化キャラクターとして形成している。それ故に、把持部２０は、模擬の眼、鼻、口、及びカエルと関連する他の特徴で形成されてもよい。その上さらに、把持部２０は、緑色の外側表面など、カエルと一致する一般的なカラースキームを有してもよい。
【００１９】
特に望ましい一実施形態では、擬人化キャラクターを、容器２６上に配設されたラベリング上に設けられた図像と関連付けることができる。かかる図像は、望ましくは、子供に対し、容器２６の中に含有される製品を使用する方法に関する指示を与える。擬人化キャラクターを指示のための図像と関連付けることにより、子供は、製品を適切に使用するよう促される。さらに、保護者は、子供にとって容易に理解できる言葉で、使い方の指示を与えることができる。例えば、本明細書で検討したカエルの実施形態を使用すると、保護者は、カエルのボトル上にあるカエルの絵がしていることを行うよう子供に話すことができる。
【００２０】
拡大された上面４６は、ユーザが作動軸線付近に力を加えるよう導く形状にされてもよく、それにより子供が傾斜させずにうまく操作するのを容易にする。上面４６は、その周辺部付近に加えられた分配力を受容及び伝達するように適合されているものの、かかる位置に加えられた力は、ディスペンサ２４を傾斜させる傾向が非常に強い。それ故に、上面４６は、ユーザがそれらの位置に手の力を加える意欲を失わせることのある急な表面変化の代わりに、なだらかな輪郭で形成された中央領域４７を包含してもよい。カエルの頭など、物理的特徴を模擬するために形成された把持部に関し、中央領域４７の緩やかな輪郭は、結果としてディスペンサ２４を傾斜させる可能性の低い分配力を受容する一方、当該領域を把持部２０の外観全体に溶け込ませるための比較的均一な区域を提供する。
【００２１】
望ましくは、把持部２０を、（例えばポンプヘッド４２を係合させることにより）分配機構に取り外し可能に取り付ける。言い換えれば、把持部２０を、第１製品ディスペンサ２４と関連付けられたポンプヘッド４２から取り外し、次の製品ディスペンサのポンプヘッドに取り付けてもよく、したがって、把持部２０の再使用を可能にする。かかる取り外し可能な取付けは、把持部２０交換の追加費用なしに、把持部２０の、空の製品ディスペンサ２４から満杯のものへの移しかえを容易にする。
【００２２】
好ましくは、把持部２０は、単一の要素であり、ポンプヘッド４２への分配力の伝達を容易にするための必要な剛性バランスを有する一方、保護者が空のディスペンサ２４から満杯のものへ把持部２０を移しかえるための十分な伸張性を有する材料を含む。分配力の伝達を容易にする一方、脱着性（removability）を維持するために、把持部２０の内部設計も使用してもよい。例えば、把持部２０とポンプヘッド４２を効果的に連結するために、把持部２０には、ポンプヘッド４２の周辺部の少なくとも一部分の周りにぴったり適合するよう設計されたカラー（図示せず）が設けられてもよい。さらに、そこに加えられた分配力をポンプヘッド４２に効果的に伝達するために、複数個の内部リブ（図示せず）を使用して、上面４６をカラーに連結してもよい。
【００２３】
代替実施形態では、把持部２０はまた、ポンプヘッド４２への取り外し可能な取付けを容易にするために、互いに分離可能に係合する二部分２０ａ、２０ｂで形成されてもよい。把持部分２０ａ、２０ｂを、スナップ嵌め、摩擦嵌め、戻り止めタブ（detent tabs）、又は他の締結係合により取り付けてもよい。別々の部分で形成することにより、把持部２０をポンプヘッド４２上に容易に組み立てられる。
【００２４】
あるいは、又は加えて、把持部２０の外観、物理的特徴は、２つ以上の方法で子供の知覚と相互作用してもよい。例えば、ディスペンサ２４の作動は、合図を開始させてもよく、例えば、把持部２０の外観を変化させる（例えば、把持部２０における色彩の変化又はライトの作動）か、又は把持部２０と関連する視覚的特徴に関連付けられる音を発生させてもよい。一代替実施形態では、望ましい行動を強化するために、一旦開始したら、合図を予め定められた時間にわたり継続させてもよい。例えば、製品ディスペンサ２４が液体ハンドソープを含有するならば、予め定められた時間は、子供が自分の手を徹底的に洗うために必要とされる時間であってもよい。例示された擬人カエルの頭部を把持部２０として使用する、本明細書で検討した音の実施形態では、保護者は、カエルが「ゲロ」と言う間、自分の手を動かすよう子供に指示することができるであろう。
【００２５】
製品ディスペンサ２４の作動中に発生する聴覚ノイズを考察することで、この実施形態をさらに例示する。図５に最も良く示される通り、把持部２０は、音を生み出せる音響発生器５６を包含してもよい。音響発生器５６は、把持部２０の位置を検知して、ノイズを開始するための合図を伝えるように適合されたセンサ５８を包含してもよい。例えば、ポンプヘッド４２及び取付け把持部２０は、図２に最も良く示された通り、伸展位置と収縮位置との間で移動可能であってもよい。センサ５８は、把持部２０が近接位置にある時を検知するように適合されてもよく、近接位置は、ポンプヘッド４２の収縮位置に概ね一致し、音を発するための合図を音響発生器５６に送ってもよい。
【００２６】
聴覚音は、特に子供に適しており、好ましくは製品ディスペンサ２４を使用するための熱意を促す。例えば、聴覚音は、製品ディスペンサ２４をうまく操作するとき、言葉又は音色による励ましなどで、正の強化をもたらしてもよい。加えて、又は別の方法として、聴覚音は、擬似的な動物音又は漫画キャラクターの声であってもよい。聴覚音は、把持部２０に備えられた視覚的特徴に一致してもよい。把持部２０が模擬カエルの頭部に似た形状であるこの実施形態では、聴覚音は、模擬「ゲロ」音又は典型的にはカエルと関連する他のノイズであってもよい。聴覚音は、把持部２０に組み込まれた視覚的特徴に合致する必要はないが、代わりに、模擬の人の声、一連の音符、又は他の構成として提供されてもよい。その上、所望される場合、ポンプヘッド４２をうまく作動させるとき、音響発生器は、連続的に又は無作為に発生してもよい１種類を超える音を発生してもよい。
【００２７】
製品ディスペンサ２４を通常分配姿勢に保持するための追加的又は代替的安定化要素として、基部２２を設けてもよい。図６及び７に関して最も良く示される通り、基部２２は、底壁６０と、そこから上方に延びた凹部６４を画定する側壁６２とを包含する。底壁６０は、その上に基部２２が置かれている表面と係合するための底部表面６６を包含する。底部表面６６は、好ましくは、例えば摩擦又は吸引により支持面を捉え、それにより支持面を横断する滑り運動に耐えるように適合される。側壁６２は、凹部６４内に容器底壁２８及び容器側壁３０の底部を受容するような大きさにされる。側壁６２は、摩擦によって容器底壁２８及び／又は容器側壁３０の底部と係合するような大きさにされてもよい。結果として、基部２２は、製品ディスペンサ２４を通常分配姿勢に保持し、それにより使用中子供が製品を意図された標的区域の方により確実に向けることを可能にする。
【００２８】
製品ディスペンサ２４の位置及び配向を安定化させることに加えて、基部はまた、子供にとって魅力的な物理的特徴を組み込んでもよい。例えば、図６及び７に示されたように、基部２２を、模擬のカエル足部６８など擬人化された特徴で形成してもよい。把持部２０など、別々の付属品も設けられる場合、基部２２に組み込まれる物理的特徴は、他の付属品に組み込まれた物理的特徴に一致してもよい。例示された実施形態では、把持部２０及び基部２２は、模擬カエルの物理的特徴を一貫して組み込む。
【図面の簡単な説明】
【００２９】
【図１】把持部及び基部付属品を包含する製品ディスペンサの透視図。
【図２】図１の把持部及び基部付属品を有する製品ディスペンサの正面図。
【図３】図１の把持部及び基部付属品を有する製品ディスペンサの平面図。
【図４】把持部付属品の正面図。
【図５】図４の線５−５に沿って取った把持部付属品の断面図。
【図６】基部付属品の正面図。
【図７】基部付属品の平面図。
【図１】
2008509056.tif 000003
【図２】
2008509056.tif 000004
【図３】
2008509056.tif 000005
【図４】
2008509056.tif 000006
【図５】
2008509056.tif 000007
【図６】
2008509056.tif 000008
【図７】
2008509056.tif 000009
【国際調査報告】
2008509056.tif 000010
2008509056.tif 000011
2008509056.tif 000012